(57)【要約】【課題】目的のアプリケーションプログラムを容易に実行できる移動体通信端末を提供する。【解決手段】状態登録キー操作を行うと、再生中音楽の曲番号及び当該再生中の曲の最初から状態登録キーを操作した時点までの再生時間、及びメール作成中の少なくとも文字数と各文字コードをメモリに登録する手段と、待受け画面の状態で状態復帰キー操作が行われると、メモリに登録された音楽再生状態あるいはメール作成状態を表示し、ユーザの選択により、音楽再生が選択されると、メモリに登録する手段で登録された曲番号及び再生時間をメモリから読み出して、待受け状態から登録した曲番号及び再生時間での音楽再生状態に復帰させ、メール作成が選択されると、メモリに登録する手段で登録されたメール作成中の少なくとも文字数と各文字コードからメール作成中に復帰させる手段とを具備する。【選択図】    図３
2010063164.tif 000002
【特許請求の範囲】
【請求項１】
状態登録キー操作を行うと、再生中音楽の曲番号及び当該再生中の曲の最初から前記状態登録キーを操作した時点までの再生時間、及びメール作成中の少なくとも文字数と各文字コード、をメモリに登録する手段と、
待受け画面の状態で状態復帰キー操作が行われると、
前記メモリに登録された音楽再生状態あるいはメール作成状態を表示し、ユーザの選択により、
音楽再生が選択されると、前記メモリに登録する手段で登録された曲番号及び再生時間を前記メモリから読み出して、待受け状態から前記登録した曲番号及び再生時間での音楽再生状態に復帰させ、
メール作成が選択されると、前記メモリに登録する手段で登録されたメール作成中の少なくとも文字数と各文字コードからメール作成中に復帰させる手段とを具備することを特徴とする移動体通信端末。
【請求項２】
着信があると、その時点の再生中音楽の曲番号及び再生時間、あるいは、メール作成中の少なくとも文字数、各文字コードが自動的にメモリに登録されることを特徴とする請求項１に記載の移動体通信端末。
【発明の詳細な説明】
【技術分野】
【０００１】
本発明は移動体通信端末に係り、特にソフトウェアを、希望するソフトウェア状態まで移動させる方法に関する。
【背景技術】
【０００２】
従来、移動体通信端末において、多くの機能を有するソフトウェアでは、ある機能を実行するまでに数回キーを押すことによってそれぞれ機能を実現していた。この従来技術の動作例を図５に示す。図５に示すような一般的な機能操作の方法では、大まかな機能一覧（ステップＳ１）からユーザが希望する分野を選択し、その後さらに一覧の表示とその中からの選択を繰り返して（ステップＳ２，Ｓ３…）、最終的に実行するアプリケーションプログラムを選択（ステップＳｎ−１）することにより、目的のアプリケーションプログラムの実行を行う（ステップＳｎ）というものであった。この方法を用いることによって、多数あるアプリケーションプログラムの実行操作を管理することが可能となった。
【０００３】
このような方法の具体例な例として音楽再生の場合を図６に示す。まず待受けの画面（ステップＳ１１）から機能一覧画面（ステップＳ１２）に移り、そして「音楽」を選択する。その音楽機能一覧（ステップＳ１３）の中から「プレイヤ」を選択し、さらにその中の「再生」を選択する（ステップＳ１４）ことによって音楽の再生が開始される（ステップＳ１５）。
【０００４】
また別の従来技術を図７に示す。この機能は作成途中のメールを、保存操作無しで記憶するものである。まず待受け画面（ステップＳ２１）から機能一覧画面（ステップＳ２２）に移り、そして「メール」を選択する。そのメール機能一覧（ステップＳ２３）の中から「新規メール作成」を選択して数文字（「おげ」）を打ち込み（ステップＳ２４，Ｓ２５）、その状態で待受け画面（ステップＳ２６）に戻るキー操作を行う。そして、再度同様に機能一覧画面（ステップＳ２７）で「メール」を選択し、メール機能一覧（ステップＳ２８）の中から「新規メール作成」を選択すると、先ほど打ち込んで保存された文字「おげ」が画面に表示され（ステップＳ２９）、ユーザはその文字の後から文字打ち込みを再開することができる。
【先行技術文献】
【特許文献】
【０００５】
【特許文献１】特開平１１−１３６７６５号公報
【発明の概要】
【発明が解決しようとする課題】
【０００６】
上記のような従来技術では多数のアプリケーションプログラムの実行操作を管理することが可能となった。しかし、その反面、目的のアプリケーションプログラムを実行するまでに多くのキー操作を要求するため、ユーザの負担が大きくなってしまうという問題があった。
【０００７】
図７のメール作成に関する従来技術ではユーザのキー操作負担は多少低減しているが、文字打ち込みを再開させるときは最初から選択を繰り返して新規メール作成プログラムまで移動させなければならず、やはり数回のキー操作を必要とした。また、この技術は一つのメールに限られたものであって複数のメールを管理することはできなかった。
【０００８】
本発明は上記の点に鑑みなされたもので、希望するソフトウェア状態までのソフトウェアの移動を少ないキー操作で実現でき、目的のアプリケーションプログラムを容易に実行できる移動体通信端末を提供することを目的とする。
【課題を解決するための手段】
【０００９】
本発明の移動体通信端末は、状態登録キー操作を行うと、再生中音楽の曲番号及び当該再生中の曲の最初から前記状態登録キーを操作した時点までの再生時間、及びメール作成中の少なくとも文字数と各文字コード、をメモリに登録する手段と、待受け画面の状態で状態復帰キー操作が行われると、前記メモリに登録された音楽再生状態あるいはメール作成状態を表示し、ユーザの選択により、音楽再生が選択されると、前記メモリに登録する手段で登録された曲番号及び再生時間を前記メモリから読み出して、待受け状態から前記登録した曲番号及び再生時間での音楽再生状態に復帰させ、メール作成が選択されると、前記メモリに登録する手段で登録されたメール作成中の少なくとも文字数と各文字コードからメール作成中に復帰させる手段とを具備することを特徴とする。
【００１０】
上記移動体通信端末において、着信があると、その時点の再生中音楽の曲番号及び再生時間、あるいは、メール作成中の少なくとも文字数、各文字コードが自動的にメモリに登録されることを特徴とする。
【発明の効果】
【００１１】
以上詳細に説明したように本発明の移動体通信端末によれば、希望するソフトウェア状態をメモリに登録する一方、そのソフトウェア状態をメモリから読み出して希望するソフトウェア状態にソフトウェアを復帰させるようにしたので、希望するソフトウェア状態までのソフトウェアの移動をユーザのキー操作負担を大幅に低減して実現でき、目的のアプリケーションプログラムを容易に実行できる。
【図面の簡単な説明】
【００１２】
【図１】本発明の実施の形態の第１の動作を示すフローチャート。
【図２】本発明の実施の形態の第2の動作を示す図。
【図３】本発明の実施の形態の第3の動作を示す図。
【図４】本発明の移動体通信端末の実施の形態を示すブロック図。
【図５】従来技術の動作例を示す図。
【図６】従来技術の具体的な動作例を示す図。
【図７】従来技術の他の具体的な動作例を示す図。
【発明を実施するための形態】
【実施例】
【００１３】
次に添付図面を参照して本発明による移動体通信端末の実施の形態を詳細に説明する。図４は本発明の移動体通信端末の実施の形態を示すブロック図である。この図において、１１は移動体通信端末全体を制御するＭＰＵであり、ベースバンドＩＣ１２、音声コーデック回路１３、ＣＰＵ１４で構成される。ＣＰＵ１４には、フラッシュメモリ１５とＲＡＭ１６が接続される。このフラッシュメモリ１５とＲＡＭ１６は、ＭＰＵ1１の内部に取り込むこともできる。ＣＰＵ１４は、フラッシュメモリ１５に格納されている動作処理手順を規定するプログラムに従って指定された処理を、ベースバンドＩＣ１２、音声コーデック回路１３およびキー操作部１７からの信号に基づいて実行し、ベースバンドＩＣ１２、音声コーデック回路１３および表示部１８を制御する。その際、ＣＰＵ１４は、ＲＡＭ１６を、フラッシュメモリ１５に記憶されたプログラムを実行するときのワークエリアとして使用する。このＲＡＭ１６には、文字入力の際の辞書機能の一つである学習機能データが記憶される。一方、フラッシュメモリ１５には、メッセージセンタから受信した文字メッセージや、文字パターン（英、数を含む）／アイコン（図形）などのフォント情報、さらには電話帳情報などが記憶される。さらに、フラッシュメモリ１５には、本発明の特徴である後述するソフトウェア状態が記憶される。
【００１４】
キー操作部１７はＣＰＵ１４に接続され、電話番号入力、メール入力等を行い、各種の動作設定も行う。表示部１８はＬＣＤからなりＣＰＵ１４に接続され、キー操作部１７から入力された各種の情報、履歴、メニュー等を表示する。
【００１５】
ＲＦ部２０は、アンテナ１９で受信した信号をベースバンドＩＣ１２に復調用信号として出力するＲＦ受信回路と、ベースバンドＩＣ１２からの変調信号をアンテナ１９に送信信号として出力するＲＦ送信回路とからなり、アンテナ１９に対するＲＦ受信回路とＲＦ送信回路の切替えは図示しない切替えスイッチにより行われる。
【００１６】
ベースバンドＩＣ１２はＣＰＵ１４によって制御され、音声信号やＲＦ信号を変復調する。ベースバンドＩＣ１２の出力である音声信号は音声コーデック回路１３によってＤ／Ａ変換と増幅された後スピーカ２１を駆動する。一方、マイクロホン２２から入力された音声信号は音声コーデック回路１３で増幅とＡ／Ｄ変換された後ベースバンドＩＣ１２で変調され、さらに前記ＲＦ部２０を介してアンテナ１９より送信信号として送信される。
【００１７】
上記のような移動体通信端末においては、ソフトウェアを実行中、希望のソフトウェア状態になったところでユーザがキー操作を行うと、その時点の希望のソフトウェア状態をフラッシュメモリ１５に記憶（登録）させることができる。また、ソフトウェアを他の状態から、ユーザのキー操作によって、前記登録したソフトウェア状態に復帰させることができる。
【００１８】
上記動作のフローチャートを図１（ａ）、（ｂ）に示す。図１（ａ）は登録動作、図１（ｂ）は復帰動作を示す。まず登録を行う場合は、ソフトウェアを実行していて、そのソフトウェアが、ユーザが登録を希望するソフトウェア状態になったところで（ステップＳ３１）、ユーザがキー操作によってソフトウェア状態登録操作（ステップＳ３２）を行う。すると、ソフトアウェア状態が記憶されるフラッシュメモリ１５内に空き容量があるか、又はメモリが登録可能な状態にあるかが判断され（ステップＳ３３）、もし空き容量がなくて登録不可能な場合はそのまま登録せずに終了（ステップＳ３４）となるが、空き容量があるか、又はメモリが登録可能な場合は、キー操作が行われたときの希望するソフトウェア状態がフラッシュメモリ１５に保存される（ステップＳ３５）。ここで、保存されるソフトウェア状態としては、そのとき動作中のアプリケーションプログラムのＩＤ（アプリケーションプログラムの種類を示す）と、そのアプリケーションプログラムのパラメータ（アプリケーションプログラムの登録時の動作状況を表わす情報で、例えばメール作成中は文字数、各文字コードなどで、アプリケーションプログラムの種類によって内容が変化する）がフラッシュメモリ１５に保存される。そして、ソフトウェア状態の登録完了（ステップＳ３６）となる。
【００１９】
次に、ソフトウェアを、他の状態から、登録済みのソフトウェア状態に復帰させる場合は、ソフトウェア動作中（ステップＳ４１）において、ユーザが復帰のキー操作を行う。すると、現在実行中のアプリケーションプログラムがあるか判断され（ステップＳ４２）、もしあれば、ユーザにソフトウェア状態の移動が行われることを確認させ（ステップＳ４３）、もしユーザがこの確認をキー操作で拒否すれば、ソフトウェア状態を移動せずに終了となるが（ステップＳ４４）、もしステップＳ４３でユーザが移動をキー操作で確認すれば、またステップＳ４２で現在実行中のアプリケーションプログラムが無いと判断されると、フラッシュメモリ１５から登録済みのＩＤとパラメータを読み出し（ステップＳ４５）、ソフトウェアを、登録したソフトウェア状態へ移動（復帰）させる（ステップＳ４６）。
【００２０】
上記のような動作を代表的な動作例でより詳細に説明する。図２（ａ）はメール作成中の登録、図２（ｂ）は他の状態から登録したメール作成中の状態への復帰を示す。メールの何文字かを入力した状態（ステップＳ５１。「おげ」が入力されている）で状態登録キーを押して登録操作を行うと、そのときのアプリケーションプログラムＩＤとそのアプリケーションプログラムのパラメータ（ここでは、文字数と各文字コードなど）がフラッシュメモリ１５に保存される。このとき、表示部１８の画面には「現在の状態を保存しました」と案内が表示される（ステップＳ５２）。その後、表示部１８の画面はステップＳ７１と同一の文字入力画面に戻るので（ステップＳ５３）、続けて文字入力を実施することができる。
【００２１】
一方、ステップＳ６１の待受けの画面で状態復帰キーを押して登録済み状態への復帰操作を行うと、表示部１８の画面には「どこに戻りますか？」と表示されて復帰メニュが表示される（ステップＳ６２）。この例では、復帰メニュに、「１．メール作成中」の外「２．音楽再生中」が表示される。これは、前述したメール作成中の登録動作と同様にして、音楽再生中にも既に登録が行われていることを意味する。この復帰メニュ画面で数字の「１」キーにより「１．メール作成中」を選択する。すると、図２（ａ）で登録したアプリケーションプログラムＩＤとそのアプリケーションプログラムのパラメータがフラッシュメモリ１５から読み出される結果、表示部１８の画面には「おげ」の文字が出現し（ステップＳ６３）、動作状態（ソフトウェア状態）は図２（ａ）の登録時の状態に復帰し、その状態からの操作を可能とする。
【００２２】
図３（ａ）は音楽再生中の登録、図３（ｂ）は他の状態から登録した音楽再生中の状態への復帰を示す。音楽を希望の部分まで再生した状態（ステップＳ７１）で状態登録キーを押して登録操作を行うと、そのときのアプリケーションプログラムＩＤとそのアプリケーションプログラムのパラメータ（ここでは、音質設定値、再生曲リスト、再生中の曲番号、その時点での再生時間など）がフラッシュメモリ１５に保存される。このとき、表示部１８の画面には「現在の状態を保存しました」と案内が表示される（ステップＳ７２）。その後、表示部１８の画面は音楽再生中の画面（ステップＳ７３）に戻る。再生中の音楽は、このような登録があっても途中で途切れずに再生される。
【００２３】
一方、ステップＳ８１の待受けの画面で状態復帰キーを押して登録済み状態への復帰操作を行うと、表示部１８の画面には「どこに戻りますか？」と表示されて復帰メニュが表示される（ステップＳ８２）。この例では、復帰メニュに、「２．音楽再生中」の外「１．メール作成中」が表示される。これは、前述した音楽再生中の登録動作と同様にして、メール作成中にも既に登録が行われていることを意味する。この復帰メニュ画面で数字の「２」キーにより「２．音楽再生中」を選択する。すると、図３（ａ）で登録したアプリケーションプログラムＩＤとそのアプリケーションプログラムのパラメータがフラッシュメモリ１５から読み出される結果、図３（ａ）で登録した曲が、登録した音質、登録した時間部分から再生され、表示部１８の画面は対応する音楽再生中の画面となる（ステップＳ８３）。
【００２４】
なお、図２（ａ）または図３（ａ）の登録動作において、複数の状態で登録を行うことができ、そうすれば、図２（ｂ）または図３（ｂ）の復帰動作において、複数の状態の中から選択して動作状態（ソフトウェア状態）を希望の状態に復帰させることができる。
【００２５】
以上のように、上記の移動体通信端末によれば、希望するソフトウェア状態をメモリに登録し、そのソフトウェア状態をメモリから読み出せば、ソフトウェアが希望するソフトウェア状態に復帰するようにしたので、希望するソフトウェア状態までのソフトウェアの移動をユーザのキー操作負担を大幅に低減して実現でき、目的のアプリケーションプログラムを容易に実行できる。また、復帰する（移動先の）ソフトウェア状態をユーザが任意に設定可能なため、個々のユーザ好みの状態への復帰を容易に実現できる。
【００２６】
なお、上記の実施の形態では、キー操作に伴ないソフトウェア状態を登録するようにしたが、着信などの他のイベントが発生すると、その時点のソフトウェア状態が自動的にメモリに登録されるようにすることもできる。このようにすれば、他のイベントを速やかに動作させることができるとともに、イベント発生時点のソフトウェア状態（動作状態）が他のイベント発生で消失されず、必要なときにイベント発生時点のソフトウェア状態（動作状態）にソフトウェアを容易に戻すことができる。
【符号の説明】
【００２７】
１１  ＭＰＵ
１４  ＣＰＵ
１５  フラッシュメモリ
１６  ＲＡＭ
１７  キー操作部
１８  表示部
２０  ＲＦ部
【図１】
2010063164.tif 000003
【図２】
2010063164.tif 000004
【図３】
2010063164.tif 000005
【図４】
2010063164.tif 000006
【図５】
2010063164.tif 000007
【図６】
2010063164.tif 000008
【図７】
2010063164.tif 000009